【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
少なくとも一つの記録層を備えた追記型光記録媒体を管理する方法において、
前記記録媒体の少なくとも一つの記録層上にユーザ領域と非ユーザ領域を設けるステップであって、前記ユーザ領域と非ユーザ領域の少なくとも一つの領域に少なくとも一つの仮欠陥管理領域を設け、前記少なくとも一つの仮欠陥管理領域は、ディスク使用管理情報を含む仮欠陥管理情報を格納するために割り当てられ、前記ディスク使用管理情報は、前記記録媒体の前記ユーザ領域の記録済み状態及び未記録状態を示す、ステップと、
前記非ユーザ領域に少なくとも一つの最終欠陥管理領域を設けるステップ
を含むことを特徴とする方法。
【請求項２】
前記少なくとも一つの最終欠陥管理領域は、前記少なくとも一つの仮欠陥管理領域から転送される前記ディスク使用管理情報を格納するために設けられることを特徴とする請求項１に記載の方法。
【請求項３】
前記記録媒体は、追記型ブルーレイディスク（ＢＤ−ＷＯ）であることを特徴とする請求項１に記載の方法。
【請求項４】
追記型光記録媒体を管理する方法であって、前記記録媒体は少なくとも一つの記録層を備え、前記少なくとも一つの記録層は少なくとも一つの仮欠陥管理領域と少なくとも一つの最終欠陥管理領域を備えた、方法において、
前記記録媒体の前記少なくとも一つの仮欠陥管理領域に仮欠陥管理情報を記録するステップであって、前記仮欠陥管理情報は前記記録媒体の記録使用状態を示すディスク使用管理情報を含む、ステップと、
前記記録媒体の前記少なくとも一つの仮欠陥管理領域から前記記録媒体の前記少なくとも一つの最終欠陥管理領域に前記仮欠陥管理情報を転送するステップ
を含むことを特徴とする方法。
【請求項５】
前記記録媒体は、前記少なくとも一つの記録層に記録領域を備え、前記記録領域は複数のトラックに分割され、前記ディスク使用管理情報は、前記記録媒体の最後の記録トラックのエンド・ポイントを識別するトラック・ポジション情報を表すことを特徴とする請求項４に記載の方法。
【請求項６】
前記ディスク使用管理情報は、スペース・ビットマップを表すことを特徴とする請求項４に記載の方法。
【請求項７】
前記転送するステップは、前記記録媒体をクローズするときに実行されることを特徴とする請求項４に記載の方法。
【請求項８】
前記記録媒体のユーザデータ領域へのデータ記録動作が完了した場合、前記少なくとも一つ仮欠陥管理領域が満杯になった場合、又は終了コマンドを受け付けた場合に、前記光記録媒体がクローズされることを特徴とする請求項７に記載の方法。
【請求項９】
前記転送するステップにおいて、前記転送される仮欠陥管理情報は、仮欠陥リスト情報と仮ディスク定義構造情報を更に含み、前記記録媒体に書き込まれた最新の仮欠陥管理情報であることを特徴とする請求項４に記載の方法。
【請求項１０】
前記記録媒体は、追記型ブルーレイディスク（ＢＤ−ＷＯ）であることを特徴とする請求項４に記載の方法。
【請求項１１】
前記転送するステップにおいて、転送される前記仮欠陥管理情報は、前記少なくとも一つの仮欠陥管理領域に格納される前記最新の仮欠陥管理情報であることを特徴とする請求項４に記載の方法。
【請求項１２】
少なくとも一つの記録層を備えた追記型光記録媒体を管理する装置において、
前記記録媒体の前記少なくとも一つの記録層にユーザ領域と非ユーザ領域を設ける手段と、
前記ユーザ領域と前記非ユーザ領域の少なくとも一つに少なくとも一つの仮欠陥管理領域を設ける手段であって、前記少なくとも一つの仮欠陥管理領域はディスク使用管理情報を含む仮欠陥管理情報を格納するために割り当てられ、前記ディスク使用管理情報は前記記録媒体の前記ユーザ領域の記録状態又は非記録状態を示す、手段と、
前記非ユーザ領域に少なくとも一つの最終欠陥管理領域を設ける手段
を備えることを特徴とする記録媒体の管理装置。
【請求項１３】
追記型光記録媒体を管理する装置であって、前記記録媒体は少なくとも一つの記録層を備え、前記少なくとも一つの記録層は少なくとも一つの仮欠陥管理領域と少なくとも一つの最終欠陥管理領域を備えた、装置において、
前記記録媒体の前記少なくとも一つの仮欠陥管理領域に仮欠陥管理情報を記録する手段であって、前記仮欠陥管理情報は前記記録媒体の記録使用状態を示すディスク使用管理情報を含む、手段と、
前記記録媒体の前記少なくとも一つの仮欠陥管理領域から前記記録媒体の前記少なくとも一つの最終欠陥管理領域に前記仮欠陥管理情報を転送する手段
を備えることを特徴とする装置。
【請求項１４】
ユーザ領域と非ユーザ領域を含む少なくとも一つの記録層と、
前記記録媒体の前記ユーザ領域と前記非ユーザ領域の少なくとも一つに設けられる少なくとも一つの仮欠陥管理領域であって、前記記録媒体の前記ユーザ領域の記録状態又は非記録状態を示すディスク使用管理情報を含む仮欠陥管理情報を格納する仮欠陥管理領域と、
前記非ユーザ領域に設けられる少なくとも一つの最終欠陥管理領域
を備えることを特徴とする追記型光記録媒体。
【請求項１５】
前記少なくとも一つの最終欠陥管理領域は、前記記録媒体に設けられ、前記少なくとも一つの仮欠陥管理領域から転送される前記ディスク使用管理情報を格納することを特徴とする請求項１４に記載の追記型光記録媒体。
【請求項１６】
前記記録媒体は、追記型ブルーレイディスク（ＢＤ−ＷＯ）であることを特徴とする請求項１４に記載の追記型光記録媒体。
【請求項１７】
少なくとも一つの仮欠陥管理領域と少なくとも一つの最終欠陥管理領域を含む少なくとも一つの記録層を備え、
仮欠陥管理情報は、前記記録媒体の前記少なくとも一つの仮欠陥管理領域に記録され、前記仮欠陥管理情報は、前記記録媒体の記録使用状態を示すディスク使用管理情報を含み、
前記仮欠陥管理情報は、前記記録媒体の前記少なくとも一つの仮欠陥管理領域から前記少なくとも一つの最終欠陥領域に転送されることを特徴とする追記型光記録媒体。
【請求項１８】
前記記録媒体は少なくとも一つの記録層に記録領域を備え、前記記録領域は複数のトラックに分割され、前記ディスク使用管理情報は、前記記録媒体の最後の記録トラックのエンド・ポイントを識別するトラック・ポジション情報を表すことを特徴とする請求項１７に記載の追記型光記録媒体。
【請求項１９】
前記ディスク使用管理情報は、スペース・ビットマップを表すことを特徴とする請求項１７に記載の追記型光記録媒体。
【請求項２０】
前記仮欠陥管理情報は、前記記録媒体をクローズするときに、前記少なくとも一つの仮欠陥管理領域から前記少なくとも一つの最終欠陥管理領域に転送されることを特徴とする請求項１７に記載の追記型光記録媒体。
【請求項２１】
前記記録媒体のユーザデータ領域への記録動作が完了した場合、前記少なくとも一つの仮欠陥管理領域が満杯になった場合、又は終了コマンドを受け付けた場合に、前記記録媒体がクローズされることを特徴とする請求項２０に記載の追記型光記録媒体。
【請求項２２】
前記転送される仮欠陥管理情報は、仮欠陥リスト情報と仮ディスク定義構造情報を含み、前記記録媒体に書き込まれた最新の仮欠陥管理情報であることを特徴とする請求項１７に記載の追記型光記録媒体。
【請求項２３】
前記記録媒体は、追記型ブルーレイディスク（ＢＤ−ＷＯ）であることを特徴とする請求項１７に記載の追記型光記録媒体。
【請求項２４】
転送される前記仮欠陥管理情報は、前記少なくとも一つの仮欠陥管理領域に格納された前記最新の仮欠陥管理情報であることを特徴とする請求項１７に記載の追記型光記録媒体。
【請求項２５】
コンピュータに、少なくとも一つの記録層を備えた追記型光記録媒体を管理する処理を実行させるプログラムを記録したコンピュータ読み取り可能な記録媒体において、
前記追記型光記録媒体の少なくとも一つの記録層上にユーザ領域と非ユーザ領域を設ける手順であって、前記ユーザ領域と非ユーザ領域の少なくとも一つの領域に少なくとも一つの仮欠陥管理領域を設け、前記少なくとも一つの仮欠陥管理領域は、ディスク使用管理情報を含む仮欠陥管理情報を格納するために割り当てられ、前記ディスク使用管理情報は、前記追記型光記録媒体の前記ユーザ領域の記録済み状態及び未記録状態を示す、手順と、
前記非ユーザ領域に少なくとも一つの最終欠陥管理領域を設ける手順
を実行させるためのプログラムを記録したコンピュータ読み取り可能な記録媒体。
【請求項２６】
コンピュータに、追記型光記録媒体を管理する処理を実行させるプログラムを記録したコンピュータ読み取り可能な記録媒体であって、前記追記型光記録媒体は少なくとも一つの記録層を備え、前記少なくとも一つの記録層は少なくとも一つの仮欠陥管理領域と少なくとも一つの最終欠陥管理領域を備えた、プログラムを記録したコンピュータ読み取り可能な記録媒体において、
前記追記型光記録媒体の前記少なくとも一つの仮欠陥管理領域に仮欠陥管理情報を記録する手順であって、前記仮欠陥管理情報は前記記録媒体の記録使用状態を示すディスク使用管理情報を含む、手順と、
前記追記型光記録媒体の前記少なくとも一つの仮欠陥管理領域から前記記録媒体の前記少なくとも一つの最終欠陥管理領域に前記仮欠陥管理情報を転送する手順
を実行させるためのプログラムを記録したコンピュータ読み取り可能な記録媒体。
【請求項２７】
コンピュータに、少なくとも一つの記録層を備えた追記型光記録媒体を管理する処理を実行させるプログラムにおいて、
前記追記型光記録媒体の少なくとも一つの記録層上にユーザ領域と非ユーザ領域を設ける手順であって、前記ユーザ領域と非ユーザ領域の少なくとも一つの領域に少なくとも一つの仮欠陥管理領域を設け、前記少なくとも一つの仮欠陥管理領域は、ディスク使用管理情報を含む仮欠陥管理情報を格納するために割り当てられ、前記ディスク使用管理情報は、前記追記型光記録媒体の前記ユーザ領域の記録済み状態及び未記録状態を示す、手順と、
前記非ユーザ領域に少なくとも一つの最終欠陥管理領域を設ける手順
を実行させるためのプログラム。
【請求項２８】
コンピュータに、追記型光記録媒体を管理する処理を実行させるプログラムであって、前記追記型光記録媒体は少なくとも一つの記録層を備え、前記少なくとも一つの記録層は少なくとも一つの仮欠陥管理領域と少なくとも一つの最終欠陥管理領域を備えた、プログラムにおいて、
前記追記型光記録媒体の前記少なくとも一つの仮欠陥管理領域に仮欠陥管理情報を記録する手順であって、前記仮欠陥管理情報は前記記録媒体の記録使用状態を示すディスク使用管理情報を含む、手順と、
前記追記型光記録媒体の前記少なくとも一つの仮欠陥管理領域から前記記録媒体の前記少なくとも一つの最終欠陥管理領域に前記仮欠陥管理情報を転送する手順
を実行させるためのプログラム。